(57)【要約】【課題】本発明は、圧力を検出しなくても、冷媒水熱交換器の入口水温及び出口水温に基いて水の循環異常を低コストで検出し、誤判定を抑制して信頼性を向上させることを目的とする。【解決手段】ヒートポンプ給湯機は、圧縮機１、冷媒水熱交換器２、減圧弁装置３、空気冷媒熱交換器４及び冷媒配管５が搭載されたヒートポンプユニット１００と、温水タンク２０及び温水循環装置２１が搭載されたタンクユニット２００とを有する。制御部１３は、温水循環装置２１の始動時の入口水温と最新の入口水温との差分である入口温度差ΔＴｗｉと、始動時の出口水温と最新の出口水温との差分である出口温度差ΔＴｗｏとを算出する。そして、予め設定された判定時間ｔが経過しても、入口温度差ΔＴｗｉと出口温度差ΔＴｗｏの両方が温度差判定値未満の場合には、水の循環に異常が生じたと判定する。【選択図】図２
2014043963.tif 000002
【特許請求の範囲】
【請求項１】
圧縮機、冷媒水熱交換器、減圧弁装置及び空気冷媒熱交換器が環状に接続された冷媒回路を有し、前記冷媒水熱交換器により水を加熱して温水を生成するヒートポンプと、
前記ヒートポンプにより加熱された温水を貯留する温水タンクと、
前記冷媒水熱交換器と前記温水タンクとの間に水を循環させる温水循環装置と、
前記冷媒水熱交換器に流入する水の温度である入口水温を検出する入口水温検出装置と、
前記冷媒水熱交換器から流出する水の温度である出口水温を検出する出口水温検出装置と、を備え、
前記温水循環装置を作動させた状態で、前記温水循環装置の始動時の前記入口水温及び前記出口水温と、前記温水循環装置の始動後の前記入口水温及び前記出口水温とに基いて、前記温水循環装置による水の循環が正常であるか否かを判定する構成としたヒートポンプ給湯機。
【請求項２】
前記ヒートポンプ及び前記温水循環装置を作動させた状態で、前記温水循環装置の始動時の前記入口水温と最新の前記入口水温との差分である入口温度差を算出し、当該算出動作を予め設定された判定時間が経過するまで継続する手段と、
前記ヒートポンプ及び前記温水循環装置を作動させた状態で、前記温水循環装置の始動時の前記出口水温と最新の前記出口水温との差分である出口温度差を算出し、当該算出動作を前記判定時間が経過するまで継続する手段と、
前記入口温度差が予め設定された第１の温度差判定値未満となる第１の判定条件が成立したか否かを判定する手段と、
前記出口温度差が予め設定された第２の温度差判定値未満となる第２の判定条件が成立したか否かを判定する手段と、
予め設定された判定時間が経過する前に前記第１，第２の判定条件の少なくとも一方が不成立となった場合に、前記温水循環装置による水の循環が正常であると判定し、前記第１，第２の判定条件が何れも成立した状態で前記判定時間が経過した場合に、前記水の循環に異常が生じたと判定する判定手段と、
前記判定手段により前記水の循環に異常が生じたと判定した場合に、少なくとも前記圧縮機を停止する手段と、
を備えた請求項１に記載のヒートポンプ給湯機。
【請求項３】
前記判定手段は、前記第１の判定条件及び前記第２の判定条件が何れも成立した状態が前記判定時間にわたり継続しても、前記判定時間が経過した後の前記入口水温と前記出口水温との温度差が予め設定された第３の温度差判定値以上である場合には、前記水の循環が正常であると判定する構成としてなる請求項２に記載のヒートポンプ給湯機。
【請求項４】
前記温水循環装置を構成する循環ポンプの回転数を一定値に保持する異常判定モードを実行し、前記水の循環が正常であるか否かを前記異常判定モード中に判定する構成としてなる請求項１乃至３のうち何れか１項に記載のヒートポンプ給湯機。
【請求項５】
前記水の循環に異常が生じたと判定して前記圧縮機を停止した場合に、前記圧縮機を再始動し、前記水の循環に異常が生じたか否かを再判定する構成としてなる請求項１乃至４のうち何れか１項に記載のヒートポンプ給湯機。
【請求項６】
前記水の循環が正常であると判定した場合に、前記圧縮機の運転を継続して沸き上げ運転に移行する構成としてなる請求項１乃至５のうち何れか１項に記載のヒートポンプ給湯機。
【請求項７】
前記水の循環に異常が生じたと複数回連続して判定した場合に、前記ヒートポンプの運転を停止する構成としてなる請求項１乃至６のうち何れか１項に記載のヒートポンプ給湯機。
【発明の詳細な説明】
【技術分野】
【０００１】
本発明は、ヒートポンプユニットを搭載したヒートポンプ給湯機に関する。
【背景技術】
【０００２】
従来技術として、例えば特許文献１に記載されているようなヒートポンプ給湯機が知られている。従来技術の給湯機は、圧力スイッチまたは圧力検出装置を備えており、例えば水の循環異常等により冷媒回路の圧力が異常判定値以上となった場合に、ヒートポンプユニットの圧縮機を停止させる構成としている。
【０００３】
また、他の従来技術としては、特許文献２に記載されているようなヒートポンプ給湯機が知られている。この従来技術では、運転開始時の出湯温度を出湯温度検出装置により検出し、この出湯温度と、所定時間が経過した後の出湯温度とを比較することにより、空焚き等の異常を検出する構成としている。
【先行技術文献】
【特許文献】
【０００４】
【特許文献１】特許第４８７４１３８号公報
【特許文献２】特許第３６３３５６２号公報
【発明の概要】
【発明が解決しようとする課題】
【０００５】
上記の特許文献１に記載された従来技術では、圧力スイッチ及び圧力検出装置が高価な部品であるため、製品コストが増加するという問題がある。一方、特許文献２に記載された従来技術では、運転開始時の出湯温度と所定時間経過後の出湯温度とを比較して空焚き等の異常を検出する。このため、圧縮機から吐出された高温な冷媒の熱、及び温水タンクから導入される高温水の熱等が出湯温度検出装置に伝導することにより、当該装置の温度が上昇して出湯温度の検出誤差が発生し、正常な状態を異常と誤判定する虞れがある。
【０００６】
本発明は、上述のような課題を解決するためになされたもので、本発明の第１の目的は、圧力スイッチ及び圧力検出装置を使用しなくても、冷媒水熱交換器の入口水温及び出口水温に基いて水の循環異常を低コストで検出することが可能なヒートポンプ給湯機を提供することにある。
【０００７】
また、本発明の第２の目的は、冷媒水熱交換器の入口水温及び出口水温に基いて水の循環異常を検出することにより、誤判定を抑制して判定精度を向上させ、高い信頼性を有するヒートポンプ給湯機を提供することにある。
【課題を解決するための手段】
【０００８】
本発明に係るヒートポンプ給湯機は、圧縮機、冷媒水熱交換器、減圧弁装置及び空気冷媒熱交換器が環状に接続された冷媒回路を有し、冷媒水熱交換器により水を加熱して温水を生成するヒートポンプと、ヒートポンプにより加熱された温水を貯留する温水タンクと、冷媒水熱交換器と温水タンクとの間に水を循環させる温水循環装置と、冷媒水熱交換器に流入する水の温度である入口水温を検出する入口水温検出装置と、冷媒水熱交換器から流出する水の温度である出口水温を検出する出口水温検出装置と、を備え、温水循環装置を作動させた状態で、温水循環装置の始動時の入口水温及び出口水温と、温水循環装置の始動後の入口水温及び出口水温とに基いて、温水循環装置による水の循環が正常であるか否かを判定する構成としている。
【発明の効果】
【０００９】
本発明によれば、入口水温と出口水温の両方を用いて水の循環が正常であるか否かを判定するので、高い判定精度を得ることができる。即ち、圧縮機から吐出された高温な冷媒の熱、及び温水タンクから導入される高温水の熱等が出口水温検出装置に伝導することで出口水温の検出誤差が発生したり、この検出誤差によって誤判定が行われるのを抑制することができる。これにより、高価な圧力スイッチや圧力検出装置を使用しなくても、既存の入口水温検出装置及び出口水温検出装置を用いて、温水循環装置による水の循環異常を検出することができる。従って、高い信頼性を有するヒートポンプ給湯機を低コストで実現することができる。また、挙動が比較的安定したパラメータである入口水温及び出口水温に基いて水の循環異常を検出するので、圧力に基いて異常判定を行う場合と比較して、誤判定を抑制して判定精度を向上させることができる。
【図面の簡単な説明】
【００１０】
【図１】本発明の実施の形態１によるヒートポンプ給湯機を示す構成図である。
【図２】異常判定制御時の循環ポンプの回転数を示すタイミングチャートである。
【図３】本発明の実施の形態２において、異常判定モード中の循環ポンプの回転数を示すタイミングチャートである。
【発明を実施するための形態】
【００１１】
実施の形態１．
以下、図１及び図２を参照して、本発明の実施の形態１について説明する。なお、本明細書で使用する各図においては、共通する要素に同一の符号を付し、重複する説明を省略するものとする。図１は、本発明の実施の形態１によるヒートポンプ給湯機を示す構成図である。この図に示すように、本実施形態のヒートポンプ給湯機は、ヒートポンプユニット１００とタンクユニット２００とを備えている。
【００１２】
ヒートポンプユニット１００は、圧縮機１、冷媒水熱交換器２、減圧弁装置３及び空気冷媒熱交換器４が冷媒配管５を介して環状に接続された冷媒回路と、ファン６及びファンモータ７とを備えている。圧縮機１は、前記冷媒回路内に冷媒を循環させるもので、冷媒水熱交換器２は、１次側を流れる冷媒と２次側を流れる水との間で熱交換することにより、水を加熱するものである。また、減圧弁装置３は、その開度に応じて冷媒を減圧（膨張）させることにより、空気冷媒熱交換器４に流入する冷媒を低温・低圧化する。なお、減圧弁装置３は、電子制御式の膨張弁等により構成され、その開度は後述の制御部１３により制御される。一方、空気冷媒熱交換器４は、外気（空気）と冷媒との間で熱交換することにより、冷媒を加熱するもので、ファン６は、ファンモータ７により駆動されて空気冷媒熱交換器４を冷却するものである。
【００１３】
また、ヒートポンプユニット１００は、各種の検出装置及びセンサを含むセンサ系統と、ヒートポンプユニット１００の運転を制御する制御部１３とを備えている。まず、センサ系統について説明すると、電流検出装置８は、圧縮機１を流れる電流の値である圧縮機電流を検出するものである。また、給水温度センサ９は、冷媒水熱交換器２の２次側に流入する水の温度を入口水温として検出するもので、本実施の形態の入口水温検出装置を構成している。沸上げ温度センサ１０は、冷媒水熱交換器２の２次側から流出する温水の温度を出口水温として検出するもので、本実施の形態の出口水温検出装置を構成している。外気温度センサ１１は、ヒートポンプユニット１００の周囲で外気の温度を検出するもので、冷媒温度センサ１２は、圧縮機１から吐出される冷媒の温度を検出するものである。
【００１４】
制御部１３は、記憶回路、入出力ポート及び演算処理回路を備えており、制御部１３の入力側には、センサ系統を構成する検出装置及びセンサがそれぞれ接続されている。また、制御部１３の出力側には、圧縮機１、減圧弁装置３及びファンモータ７を含む各種のアクチュエータが接続されている。また、制御部１３は、タンクユニット２００に搭載された制御部２５とデータ通信を実行するように構成されている。これにより、制御部１３は、センサ系統の出力及びタンクユニット２００側の情報に基いて、圧縮機１の回転数、減圧弁装置３の開度及びファンモータ７の回転数を制御することができる。
【００１５】
一方、タンクユニット２００は、ヒートポンプユニット１００（冷媒水熱交換器２）により加熱された温水を貯留する温水タンク２０と、冷媒水熱交換器２と温水タンク２０との間に水（温水）を循環させる温水循環装置２１と、制御部２５とを備えている。また、温水循環装置２１は、温水タンク２０の下部と冷媒水熱交換器２の２次側流入口とを接続する送り配管２２と、冷媒水熱交換器２の２次側流出口と温水タンク２０の上部とを接続する戻り配管２３と、例えば送り配管２２の途中に設けられた循環ポンプ２４とを備えている。制御部２５は、少なくとも循環ポンプ２４の運転を制御するように構成されている。なお、以下の説明では、必要に応じて、制御部１３をヒートポンプ側制御部１３と表記し、制御部２５をタンク側制御部２５と表記する。
【００１６】
（沸上げ運転）
次に、ヒートポンプ給湯機の基本的な動作の１つである沸上げ運転について説明する。
沸上げ運転は、例えばタンクユニット２００側で温水タンク２０内の水を加熱する（沸上げる）要求が生じた場合に、制御部１３，２５により協働して実行されるものである。この場合、ヒートポンプ側制御部１３は、圧縮機１の回転数制御、減圧弁装置３の開度制御及びファンモータ７の回転数制御を実行し、更に、沸上げ温度センサ１０による検出温度が目標沸上げ温度と一致するように、温水循環装置２１（循環ポンプ２４）の回転数を制御する。
【００１７】
より詳しく述べると、圧縮機１の回転数は、外気温度センサ１１、給水温度センサ９等の出力に基いて制御され、減圧弁装置３の開度は、外気温度センサ１１、冷媒温度センサ１２等の出力に基いて制御される。なお、循環ポンプ２４の回転数制御は、ヒートポンプ側制御部１３によりタンク側制御部２５を経由して実行してもよいし、ヒートポンプ側制御部１３により直接実行してもよい。
【００１８】
沸上げ運転では、循環ポンプ２４が作動することにより、温水タンク２０の下部に滞留する水が送り配管２２を介して冷媒水熱交換器２に導入され、この水は、冷媒水熱交換器２により加熱されて温水となる。そして、冷媒水熱交換器２から流出した温水は、戻り配管２３を介して温水タンク２０の上部に貯湯される。
【００１９】
（異常判定制御）
次に、温水循環装置２１の運転開始時及び運転開始後において、制御部１３，２５により実行される異常判定制御について説明する。温水循環装置２１は、例えばタンクユニット２００側の要求等に基いて沸上げ運転が行われるときに始動される。このとき、異常判定制御は、沸上げ運転の開始前に、温水循環装置２１による水の循環が正常であるか否かを判定するものである。この判定は、以下に述べるように、温水循環装置２１の始動時における冷媒水熱交換器２の入口水温Ｔｗｉ１及び出口水温Ｔｗｏ１と、温水循環装置２１の始動後における入口水温Ｔｗｉ及び出口水温Ｔｗｏとに基いて実行される。
【００２０】
図２は、異常判定制御時の循環ポンプの回転数を示すタイミングチャートである。異常判定制御では、まず、循環ポンプ２４の始動時または始動直前のタイミングである時刻ｔ１において、給水温度センサ９により冷媒水熱交換器２の入口水温Ｔｗｉ１を検出すると共に、沸上げ温度センサ１０により出口水温Ｔｗｏ１を検出する。これらの検出結果は制御部１３により記憶される。なお、以下の説明では、循環ポンプ２４の始動時または始動直前のタイミングをまとめて「始動時」と表記する。
【００２１】
次の処理では、循環ポンプ２４を作動させつつ、例えば一定のサンプリング周期で入口水温Ｔｗｉ及び出口水温Ｔｗｏを検出する。そして、始動時の入口水温Ｔｗｉ１と最新の入口水温Ｔｗｉとの差分に基いて、下記数１の式により入口温度差ΔＴｗｉを算出する。また、始動時の出口水温Ｔｗｏ１と最新の出口水温Ｔｗｏとの差分に基いて、下記数２の式により出口温度差ΔＴｗｏを算出する。
【００２２】
[数１]
ΔＴｗｉ＝Ｔｗｉ−Ｔｗｉ１
[数２]
ΔＴｗｏ＝Ｔｗｏ−Ｔｗｏ１
【００２３】
次の処理では、入口温度差ΔＴｗｉが第１の温度差判定値Ａよりも小さいか否か、即ち、下記数３の式に示す第１の判定条件が成立するか否かを判定する。また、出口温度差ΔＴｗｏが第２の温度差判定値Ｂよりも小さいか否か、即ち、下記数４の式に示す第２の判定条件が成立するか否かを判定する。
【００２４】
[数３]
ΔＴｗｉ＜Ａ
[数４]
ΔＴｗｏ＜Ｂ
【００２５】
上記式において、第１の温度差判定値Ａは、例えば温水循環装置２１による水の循環が正常な場合に、最新の入口水温Ｔｗｉと始動時の入口水温Ｔｗｉ１との間に生じるべき温度差の最小値に対応して予め設定されている。一方、第２の温度差判定値Ｂは、前記水の循環が正常な場合に、最新の出口水温Ｔｗｏと始動時の出口水温Ｔｗｏ１との間に生じるべき温度差の最小値に対応して予め設定されている。
【００２６】
上記設定方法について、より詳しく述べると、温水循環装置２１の停止中には、その水路に滞留した水の温度が放熱により低下した状態となる。この状態で、循環ポンプ２４が始動されると、温水循環装置２１による水の循環が正常な場合には、温水タンク２０から温水循環装置２１の水路に温水が供給されるので、前記水路を流れる水の温度は、循環ポンプ２４の停止中（始動時）と比較して上昇する。温度差判定値Ａ，Ｂは、このときの温度上昇量に基いて適切な値に設定されるものである。なお、温度差判定値Ａ，Ｂは互いに異なる値に設定してもよいし、同一値に設定してもよいが、前記水の循環が正常な場合には、出口温度差ΔＴｗｏが入口温度差ΔＴｗｉよりも大きくなる傾向があるので、第２の温度差判定値Ｂは、第１の温度差判定値Ａよりも大きく設定するのが好ましい。
【００２７】
上述した入口温度差ΔＴｗｉ及び出口温度差ΔＴｗｏの算出処理と、第１，第２の判定条件が成立するか否かの判定処理とは、循環ポンプ２４の始動時を起算点として、予め設定された判定時間ｔが経過するまで継続的に実行される。ここで、判定時間ｔは、例えば前記水の循環が正常な場合に、温水タンク２０から供給される温水により前記第１，第２の判定条件の少なくとも一方が不成立となるのに必要な時間を考慮して設定されるもので、一例を挙げると、分単位で設定される程度の時間である。
【００２８】
そして、異常判定制御では、判定時間ｔが経過する前に、第１，第２の判定条件の少なくとも一方が不成立となっ場合、即ち、入口温度差ΔＴｗｉが温度差判定値Ａ以上となるか、または、出口温度差ΔＴｗｏが温度差判定値Ｂ以上となった場合に、温水循環装置２１による水の循環が正常であると判定する。この場合には、循環ポンプ２４の運転を継続しつつ、ヒートポンプユニット１００の運転を開始し、タンクユニット２００側の要求（指示）等に基いて沸上げ運転に移行する。この構成によれば、前記水の循環を正常と判定した場合には、沸上げ運転に自動的に移行するので、異常判定制御による沸上げ運転の開始遅れを最小限に抑えることができ、使用者の利便性を向上させることができる。
【００２９】
一方、例えば図２中の時刻ｔ２において、第１，第２の判定条件が何れも成立した状態で判定時間ｔが経過した場合、即ち、第１，第２の判定条件が何れも成立した状態が判定時間ｔにわたり継続した場合には、冷媒水熱交換器２の入口側でも出口側でも水温が上昇していないと考えられる。この場合には、例えば送り配管２２や戻り配管２３の閉塞、循環ポンプ２４の作動不良等が原因で、水の循環に異常が生じたと判定する。そして、圧縮機１を停止するか、停止状態に保持し、圧縮機１の作動を禁止する。この構成によれば、何らかの異常により温水循環装置２１の水路中を水が循環していない場合には、圧縮機１の作動を禁止して空焚きを防止することができ、ヒートポンプユニット１００の構成部品を保護することができる。
【００３０】
以上詳述した通り、本実施の形態によれば、入口水温と出口水温の両方を用いて水の循環が正常であるか否かを判定するので、高い判定精度を得ることができる。即ち、圧縮機１から吐出された高温な冷媒の熱、及び温水タンク２０から導入される高温水の熱等が沸上げ温度センサ１０に伝導することで出口水温の検出誤差が発生したり、この検出誤差によって誤判定が行われるのを抑制することができる。これにより、高価な圧力スイッチや圧力検出装置を使用しなくても、既存の給水温度センサ９及び沸上げ温度センサ１０を用いて水の循環異常、即ち、配管２２，２３の閉塞や循環ポンプ２４の作動不良等を検出することができる。従って、高い信頼性を有するヒートポンプ給湯機を低コストで実現することができる。また、挙動が比較的安定したパラメータである入口水温及び出口水温に基いて水の循環異常を検出するので、圧力に基いて異常判定を行う場合と比較して、誤判定を抑制して判定精度を向上させることができる。
【００３１】
（上記異常判定制御の変形例）
外部の温度環境等により冷媒水熱交換器２の温度が低い状態において、温水タンク２０から温水循環装置２１に例えば５０℃程度の高温水が導入されると、温水循環装置２１による水の循環が正常でも、出口水温の検出値が十分に変動しないことがある。この場合には、前記第１，第２の判定条件が何れも成立し、誤判定の虞れが生じる。このため、本実施の形態では、以下に示す変形例のように判定を実行してもよい。この変形例では、まず、第１，第２の判定条件が何れも成立した状態が判定時間ｔにわたり継続しても、その時点では水の循環異常と判定せず、更に、判定時間ｔが経過した後の入口水温Ｔｗｉ２及び出口水温Ｔｗｏ２を検出する。そして、下記数５の式により、入口水温Ｔｗｉ２と出口水温Ｔｗｏ２との温度差である入口出口温度差ΔＴｗｉｏを算出する。
【００３２】
[数５]
ΔＴｗｉｏ＝Ｔｗｏ２−Ｔｗｉ２
【００３３】
次の処理では、入口出口温度差ΔＴｗｉｏが第３の温度差判定値Ｃ未満であるか否か、即ち、下記数６の式に示す第３の判定条件が成立するか否かを判定する。ここで、第３の温度差判定値Ｃは、例えば温水循環装置２１による水の循環が正常な場合に、判定時間ｔが経過した後の入口水温Ｔｗｉ２と出口水温Ｔｗｏ２との間に生じるべき温度差の最小値に対応して予め設定されている。
【００３４】
[数６]
ΔＴｗｉｏ＜Ｃ
【００３５】
変形例の異常判定制御では、前記第１，第２の判定条件が何れも成立した状態が判定時間ｔにわたり継続した場合でも、前記第３の判定条件が不成立となる場合、即ち、入口出口温度差ΔＴｗｉｏが温度差判定値Ｃ以上である場合には、上述の理由により第１，第２の判定条件が誤って成立したものと判断し、第３の判定条件に基いて前記水の循環が正常であると判定する。この場合には、圧縮機１の作動を継続して沸上げ運転に移行する。
【００３６】
一方、前記第１，第２の判定条件が何れも成立した状態が判定時間ｔにわたり継続し、かつ、前記第３の判定条件も成立した場合には、入口水温の変化、出口水温の変化及び入口水温と出口水温との温度差の全てが異常に小さいことになる。そこで、この場合には、水の循環に異常が生じたと判定し、圧縮機１の作動を禁止（停止）する。
【００３７】
このように構成される変形例によれば、実施の形態１の場合とほぼ同様の効果に加えて、次のような効果を得ることができる。冷媒水熱交換器２の温度が低い状態において、温水タンク２０から温水循環装置２１に高温水が導入された場合でも、判定時間ｔが経過した後の入口水温Ｔｗｉ２と出口水温Ｔｗｏ２との温度差に基いて水の循環が正常であるか否かを正確に判定することができる。従って、温度環境等に起因する誤判定を抑制し、判定精度を更に向上させることができる。
【００３８】
実施の形態２．
次に、図３を参照して、本発明の実施の形態２について説明する。本実施の形態は、前記実施の形態１と同様の構成及び制御において、循環ポンプの回転数を一定値に保持した異常判定モード中に異常判定制御を実行することを特徴としている。図３は、本発明の実施の形態２において、異常判定モード中の循環ポンプの回転数を示すタイミングチャートである。この図に示すように、本実施の形態では、循環ポンプ２４の回転数を一定値に保持する異常判定モードを前記判定時間ｔにわたって実行し、水の循環が正常であるか否かを異常判定モード中に判定する。
【００３９】
なお、異常判定モード中には、循環ポンプ２４の回転数を最大回転数に近い高回転数に保持するのが好ましい。これにより、冷媒水熱交換器２の内部に侵入していた空気をタンクユニット２００側に排出することができる。従って、循環中の水に空気が混入することで生じる水温の検出誤差、及び水の循環状態の誤判定を防止することができる。
【００４０】
また、異常判定モードは、判定時間ｔが経過した時点で終了するもので、異常判定モード中には、前記実施の形態１で示した判定条件に基いて水の循環状態を判定する。具体的に述べると、異常判定モード中に前記第１，第２の判定条件の少なくとも一方が不成立となっ場合には、水の循環が正常であると判定し、タンクユニット２００側の要求等に基いて沸上げ運転に移行する。一方、第１，第２の判定条件が何れも成立した状態が異常判定モードの開始時点から終了時点まで継続した場合には、水の循環に異常が生じたと判定する。この場合には、圧縮機１の作動を禁止（停止）する。
【００４１】
さらに、本実施の形態では、前記実施の形態１の変形例で述べたように、第１，第２の判定条件が何れも成立した状態が判定時間ｔにわたり継続した場合でも、前記第３の判定条件が不成立となる場合には、水の循環が正常であると判定して沸上げ運転に移行する構成としてもよい。
【００４２】
このように構成される本実施の形態でも、前記実施の形態１とほぼ同様の作用効果を得ることができる。特に、本実施の形態では、異常判定モード中に循環ポンプ２４の回転数を一定値に保持する構成としたので、循環ポンプ２４の運転状態の変動等による外乱を受けることなく、入口水温及び出口水温の検出や水の循環状態の判定を安定的に行うことができ、給湯機の異常を高い精度で検出することができる。
【００４３】
なお、前記実施の形態１，２では、水の循環に異常が生じたと判定して圧縮機１を停止した場合に、圧縮機１を再始動し、前記水の循環に異常が生じたか否かを再判定する構成としてもよい。また、前記水の循環に異常が生じたと複数回連続して判定した場合に、ヒートポンプユニット１００を構成する全ての機器の運転を停止する構成としてもよい。この場合、停止される機器には、少なくとも圧縮機１、冷媒水熱交換器２、減圧弁装置３及び空気冷媒熱交換器４が含まれている。また、ファンモータ７の運転は継続する構成としてもよい。
【００４４】
上記制御によれば、温水循環装置２１による水の循環を一旦異常と判定した場合でも、再判定を実行するので、一時的な水温の検出誤差等が原因で誤判定が生じるのを抑制し、判定精度をより向上させることができる。また、異常判定が継続的なものである場合には、ヒートポンプユニット１００を完全に停止させ、当該ユニットに搭載された各機器を保護することができる。
【００４５】
また、本発明では、ヒートポンプユニット１００として、冷媒の圧力が臨界圧力以上となる超臨界状態で運転されるヒートポンプサイクルを採用してもよいし、臨界圧力以下の圧力で運転されるヒートポンプサイクルを採用してもよい。この場合、冷媒としては、フロンガス、アンモニア等を用いる構成としてもよい。
【符号の説明】
【００４６】
１  圧縮機
２  冷媒水熱交換器
３  減圧弁装置
４  空気冷媒熱交換器
５  冷媒配管
６  ファン
７  ファンモータ
８  電流検出装置
９  給水温度センサ（入口水温検出装置）
１０  沸上げ温度センサ（出口水温検出装置）
１１  外気温度センサ
１２  冷媒温度センサ
１３，２５  制御部
２０  温水タンク
２１  温水循環装置
２２  送り配管
２３  戻り配管
２４  循環ポンプ
１００  ヒートポンプユニット（ヒートポンプ）
２００  タンクユニット
【図１】
2014043963.tif 000003
【図２】
2014043963.tif 000004
【図３】
2014043963.tif 000005